(57)【要約】【課題】この発明は、使用中に、自己の正面像はもとより、背面像、側面像などを自由に選択し、正対して見えるようにすることを目的としたものである。【解決手段】この発明は、美容室等において、鏡に代わるスクリーン上へ、美容等を受ける依頼者の正面像、背面像、左右側面像、上面像又は斜視像などを、選択映写できるようにすることを特徴とした美容室等における映像表示方法により目的を達成した。【選択図】　　　図２
2004015080.tif 000002
【特許請求の範囲】
【請求項１】
美容室等において、鏡に代わるスクリーン上へ、美容等を受ける依頼者の正面像、背面像、左右側面像又は斜視像などを、選択映写できるようにすることを特徴とした美容室等における映像表示方法。
【請求項２】
美容室等において、鏡に代わるスクリーン上へ、美容等を受ける依頼者の正面像、背面像、左右側面像又は斜視像及びデータベースに保存された本人の髪型等又は各種創作髪型等を選択映写できるようにすることを特徴とした美容室等における映像表示方法。
【請求項３】
美容室等とは、美容室、着付け室、試着室又は仮縫室とすることを特徴とした請求項１又は２記載の美容室等における映像表示方法。
【請求項４】
美容等を受ける依頼者と対面するスクリーンと、スクリーンに入力するカメラからの電気的信号を画像に変換する画像処理手段と、前記依頼者の正面、背面、左右側面、上面又は斜視面等を撮影し、これを電気的出力に変える変換手段と、前記各面の映像の選択手段とを結合させたことを特徴とする美容室等における映像表示装置。
【請求項５】
美容等を受ける依頼者と対面するスクリーンと、スクリーンに入力するカメラからの電気的信号を画像に変換する画像処理手段と、前記依頼者の正面、背面、左右側面、上面又は斜視面等を撮影し、これを電気的出力に変える変換手段と、前記各面の映像の選択手段と、既知の映像のデータベース画像から、所定の映像を選択的に表示する表示手段とを結合したことを特徴とする請求項４記載の美容室等における映像表示装置。
【請求項６】
カメラはデジタルカメラとし、画像処理はパソコン利用としたことを特徴とする請求項４記載の美容室等における映像表示装置。
【請求項７】
画像処理手段は、カメラからの入力を受けてパソコン処理としたことを特徴とする請求項４記載の美容室等における映像表示装置。
【発明の詳細な説明】
【０００１】
【発明の属する技術分野】
この発明は、美容室等で、依頼者が鏡の代わりにスクリーンを見て、自分の正面、背面、側面、上面又は斜視面を選択的に見ることができるようにしたことを目的とする美容室等における映像表示方法及び装置に関するものである。
【０００２】
【従来の技術】
一般に美容室等において、依頼者は、鏡の前に座り、整髪などを受けるが、この場合には前面のみ鏡に映り、左右面及び背面と上面は映らなかった。
【０００３】
また、試着に際しても正面及び側面はわかるけれども、背面、上面又は斜上面等は不明であって、想像するのみであった。
【０００４】
従来、鏡の一部にモニターテレビを設置し、側面又は背面或いは隠れた所が見えるようにした発明が提案されていた（特開平８−３０８７００）。
【０００５】
また、化粧設備の使用者の正面、側面以外の像も見られるようにしたミラーの中央部にモニター画面が映るようにした化粧設備の提案がある（実開平５−１５８６７）。
【０００６】
【発明により解決しようとする課題】
前記従来普通に使用されている鏡は、原則的に正面像しか見えない問題点があった。同様に試着室などでは、正面像と側面像は見えるけれども、側面像を見るために無理な姿勢になったり、背面像と上面側（又は斜上面像）は見ることができない問題点があった。
【０００７】
前記公知例のモニターテレビは、見えないところを見えるようにした利点がある反面、鏡の隅部にモニターされるに過ぎず、正対した状態で側面像又は背面像を見ることができない問題点があった。
【０００８】
また、他の公知考案については、化粧設備のミラーの中央にモニター画面が映るようにした点で優れているが、モニターとミラーの関係が不明であり、正対映像を映す場合のモニターはどうなるか必ずしも明らかでない。また、モニターについての選択性はあるけれども、一器具からのリモートコントロール方式でない。更に、現状についてはある程度の映写が可能であるが、自分の過去又は新髪型などのファッション性を備えた映像から選択するような思想は開示されていない。
【０００９】
【課題を解決するための手段】
この発明は、カメラの出力をパソコンなどに入力して画像処理し、これをスクリーン上へ表示できるようにしたので、スクリーン上へ正面像、側面像、背面像上面像又は斜視像が映るのみならず、データベースに保存された各種映像（例えば創作又は流行髪型像等）も任意選択的に映し出すことができる。従って、新髪型から、自己の過去の髪型まで、比較対照することができる。またパソコンをインターネットに接続すれば、広く世界のファッションなどを映し出すこともできる。
【００１０】
即ち方法の発明は、美容室等において、鏡に代わるスクリーン上へ、美容等を受ける依頼者の正面像、背面像、左右側面像、上面像又は斜視像などを、選択映写できるようにすることを特徴とした美容室等における映像表示方法である。また、美容室等において、鏡に代わるスクリーン上へ、美容等を受ける依頼者の正面像、背面像、左右側面像、上面像又は斜視像及びデータベースに保存された本人の髪型等又は各種髪型等を選択映写できるようにすることを特徴とした美容室等における映像表示方法であり、美容室等とは、美容室、着付け室、試着室又は仮縫室とするものである。
【００１１】
次に、装置の発明は、美容等を受ける依頼者と対面するスクリーンと、スクリーンに入力するカメラからの電気的信号を画像に変換する画像処理手段と、前記依頼者の正面、背面、左右側面、上面又は斜視面を撮影し、これを電気的出力に変える変換手段と、映像の選択手段とを結合させたことを特徴とする美容室等における映像表示装置であり、美容等を受ける依頼者と対面するスクリーンと、スクリーンに入力するカメラからの電気的信号を画像に変換する画像処理手段と、前記依頼者の正面、背面、左右側面、上面又は斜視面を撮影し、これを電気的出力に変える変換手段と、映像の選択手段と、既知の映像のデータベース画像から、所定の映像を選択的に表示する表示手段とを結合したことを特徴とする美容室等における映像表示装置である。
【００１２】
更に、カメラはデジタルカメラとし、画像処理はパソコン利用としたものであり、画像処理手段は、カメラからの入力を受けてパソコン処理としたものである。
【００１３】
前記発明において、カメラをデジタルカメラとし、パソコンで画像処理すれば、極めて迅速容易に各種画像を開示し、依頼者の好みに応じ多様性のある資料を提供し、多数のモデルの中から好みに応じたものを自由に選択することができる。
【００１４】
この発明においては、パソコンを介装して画像処理するので、依頼者の髪型等の過去現在の組み合わせによる髪型等は勿論のこと、既存のモデル髪型等又は創作、流行の髪型等を修正して映像化し、その中から好みのものを選択することもできる。
【００１５】
従って、人相（骨相）、肥満か痩身か、背丈の高低、その他に合わせて画像上の修正を行い、好みのスタイルを選択することもできる。
【００１６】
この発明は、美容室、試着室、仮縫室、着付け室その他に利用すれば、スタイル等を安心して自信を持って決めることができる。
【００１７】
【発明の実施の形態】
この発明は、美容室等における依頼者が、自分の正面像はもとより左右側面像、背面像、上面像又は斜視像等を自由選択的に決定し得ると共に、必要に応じ、データベースに保存中の画像を取り出して参考に供し、又はこれらに画像処理による修正で新髪型を作り出すなどにより、好みの髪型等を再現し、又は創作できるようにしたものである。
【００１８】
前記の装置としては、撮影手段、画像処理手段、映像表示手段を組みあわせ、これを操作盤で選択表示できるようにしてある。具体的には、デジタルカメラの出力をパソコンに入力し、画像処理してスクリーン上へ映像を表示するものである。従って、基本的（依頼者コントロール）には、正面像、背面像、左右側面像、上面像又は斜視像は、ボタン操作で選定し得るようにしてある。また、過去の髪型、標準髪型（又は新作髪型）の表示及び画像処理は、美容師のコントロールによって表示する（又は依頼者が自ら操作）ことにすれば、関係機器を容易に使いこなすことができる。
【００１９】
前記は主として美容について述べたが、試着室、仮縫室、又は着付け室等においても同様である。
【００２０】
この発明は、自己の容姿について、他人の目で見ると同様に正視することができるようにしたものであるから、自信を持って選択し、仕上がり状態を予測して決定することができる。
【００２１】
【実施例１】
この発明の実施例を図１について説明する。スクリーン１の前に依頼者２が腰掛けて整髪をして貰う場合に、依頼者２は、操作盤３のボタンを押すことにより、パソコン４を介しデジタルカメラ５ａ、５ｂ、５ｃ、５ｄの撮影角度、ズームなどを調整し、その出力をパソコン４に入力することにより、画像処理してスクリーン１上に拡大映像を表現することができる。
【００２２】
そこで、図３−（ａ）のような顔面像６、図３−（ｂ）のような後頭像７、図３−（ｃ）のような側頭像８（左側又は右側）を選定し、順次映像にする。また、頭頂部の映像（図示していない）を得ることもできる。
【００２３】
前記において、デジタルカメラは、矢示１２、１３のように昇降し、矢示１４、１５のように左右移動するので、見たい所を写すことができる。
【００２４】
【実施例２】
この発明を着物の着付けに用いた実施例を図４に基づいて説明する。この場合にも、正面像９、背面像１０及び側面像１１（左右あり）を選定することにより、各部を点検し、第三者の目で見ながら着付けができる。
【００２５】
前記実施例には、斜視、又は頭上から見た映像がないが、カメラの設置について特別の配慮があれば、自分の容姿を他人の目線から余すところなく見た場合と同様の映像とすることができる。
【００２６】
【発明の効果】
この発明によれば、前後、左右及び上方向、斜方向から撮影できるので、自分の容姿等を正対して余すことなく見ることができる効果がある。
【００２７】
また、画像処理及び標準例、創作例等の映像及び修正映像を見ることができるので、多数の情報から自信を持ってヘアースタイルその他を好みの状態（他人の目線）で選定できる効果がある。
【図面の簡単な説明】
【図１】この発明の実施例のブロック図。
【図２】同じく使用状態の概念図。
【図３】（ａ）　同じく正面像。
（ｂ）　同じく背面像。
（ｃ）　同じく側面像。
【図４】（ａ）　同じく他の実施例の正面像。
（ｂ）　同じく背面像。
（ｃ）　同じく側面像。
【符号の説明】
１　スクリーン
２　依頼者
３　操作盤
４　パソコン
５ａ、５ｂ、５ｃ、５ｄ　デジタルカメラ
６　顔面像
７　後頭像
８　側頭像
９　正面像
１０　背面像
１１　側面像
【図１】
2004015080.tif 000003
【図２】
2004015080.tif 000004
【図３】
2004015080.tif 000005
【図４】
2004015080.tif 000006